(57)【要約】【課題】抄き型上にパルプ原料液からパルプ成分を抄き取って脱水し、次いで加熱プレスして乾燥させて成形品を得る抄紙成形装置において、従来、成形品を離型する際に圧縮エアを供給する方法が採用されているが、圧縮エアだけでは確実な離型が行い難かった。本発明は、従来の成形装置のシーケンスを変更することなく、成形品の型からの離型を容易かつ確実に行うことのできる抄紙成形装置を提供することを目的とする。【解決手段】本発明の抄紙成形装置は、抄き型上にパルプ原料液からパルプ成分を抄き取り脱水して含水成形品を得る抄紙成形工程、抄紙成形工程で得た含水成形品をプレス型間で加熱プレスして乾燥させる乾燥成形工程、乾燥成形工程において乾燥させた成形品をプレス型から離型する離型工程を経て抄紙成形品を得る抄紙成形装置において、プレス型に圧縮空気供給・吸引機構を設けるとともに、該圧縮空気供給・吸引機構と連動して動作する成形品離型機構をプレス型に設けたことを特徴とする。【選択図】    図３
2004162214.tif 000002
【特許請求の範囲】
【請求項１】
抄き型上にパルプ原料液からパルプ成分を抄き取り脱水して含水成形品を得る抄紙成形工程、抄紙成形工程で得た含水成形品をプレス型間で加熱プレスして乾燥させる乾燥成形工程、乾燥成形工程において乾燥させた成形品をプレス型から離型する離型工程を経て抄紙成形品を得る抄紙成形装置において、プレス型に圧縮空気供給・吸引機構を設けるとともに、該圧縮空気供給・吸引機構と連動して動作する成形品離型機構をプレス型に設けたことを特徴とする抄紙成形装置。
【請求項２】
抄き型上にパルプ原料液からパルプ成分を抄き取り脱水して含水成形品を得る抄紙成形工程、抄紙成形工程で得た含水成形品をプレス型間で加熱プレスして乾燥させる乾燥成形工程、乾燥成形工程において乾燥させた成形品をプレス型から離型する離型工程を経て抄紙成形品を得る抄紙成形品の製造方法であって、乾燥成形工程において、圧縮空気供給・吸引機構を備え、かつ該圧縮空気供給・吸引機構と連動して動作する離型機構を備えたプレス型によって含水成形品を加熱プレスするとともに、プレス型間に間隙を設け、空気供給機構を動作させて成形品のプレス型への脱着を行いながら含水成形品を乾燥させることを特徴とする抄紙成形品の製造方法。
【発明の詳細な説明】
【０００１】
【発明の属する技術分野】
本発明は抄紙成形装置および抄紙成形品の製造方法に関する。
【０００２】
【従来の技術】
電化製品、精密機器等の包装材や、卵等の食品包装用容器として、パルプ原料液からパルプ成分を抄き取って所定形状に成形した抄紙成形品が使用されており、特に近年、抄紙成形品は環境保護の面でも高い評価を得ている。
【０００３】
抄紙成形品を製造する方法としては、抄紙成形工程における抄き型上に、パルプ原料液からパルプ成分を抄き取って脱水して得た含水成形品を、乾燥成形工程において加熱プレスして乾燥させ最終成形品とする方法が、寸法精度の高い抄紙成形品を大量に製造するための方法として一般的に採用されている（たとえば特許文献１〜５）。上記方法においては、加熱プレスして得た最終成形品をプレス型から離型する際等に成形品に圧縮空気を吹き付けて離型する方法が一般に採用されている。また本願出願人が先に出願した特許文献５において、プレス型によって含水成形品を加熱プレスするとともに、プレス型間に間隙を設け、含水成形品への圧縮空気、吸引を行い、成形品をプレス型へ着脱させながら成形品を乾燥させる方法を提案した。
【０００４】
【特許文献１】
特開平６−１５８５９９号
【特許文献２】
特開平６−１５８６００号
【特許文献３】
特開平６−３１３３００号
【特許文献４】
特開平８−１８８９９９号
【特許文献５】
特願２００１−３２６６２１
【０００５】
【発明が解決しようとする課題】
しかしながら、加熱プレスして得た成形品をプレス型から離型するために圧縮空気を吹き付ける方法では、成形品の形状によっては確実に離型し難いという問題があった。また本願出願人が先に提案した、プレス型間に間隙を設けて含水成形品への圧縮空気の供給、吸引を行いながら含水成形品を乾燥させる方法では、空気の供給、吸引にあわせて成形品のプレス型への着脱を交互に行わせることが、成形品を効率良く乾燥させる上で好ましいが、この場合も、圧縮空気を含水成形品に供給するだけで含水成形品をプレス型から確実に離型させることは困難であった。
【０００６】
本発明は上記の点に鑑みなされたもので、従来の抄紙成形装置に適用していた製造シーケンスをそのまま適用して作動させることができ、成形品を加熱プレス型から容易かつ確実に離型させることのできる離型機構を備えた抄紙成形装置を提供することを目的とする。また本発明は含水成形品の乾燥および離型を効率よく行うことのできる抄紙成形品の製造方法を提供することを目的とする。
【０００７】
【課題を解決するための手段】
即ち本発明の抄紙成形装置は、抄き型上にパルプ原料液からパルプ成分を抄き取り脱水して含水成形品を得る抄紙成形工程、抄紙成形工程で得た含水成形品をプレス型間で加熱プレスして乾燥させる乾燥成形工程、乾燥成形工程において乾燥させた成形品をプレス型から離型する離型工程を経て抄紙成形品を得る抄紙成形装置において、プレス型に圧縮空気供給・吸引機構を設けるとともに、該圧縮空気供給・吸引機構と連動して動作する成形品離型機構をプレス型に設けたことを特徴とする。また本発明の抄紙成形品の製造方法は、抄き型上にパルプ原料液からパルプ成分を抄き取り脱水して含水成形品を得る抄紙成形工程、抄紙成形工程で得た含水成形品をプレス型間で加熱プレスして乾燥させる乾燥成形工程、乾燥成形工程において乾燥させた成形品をプレス型から離型する離型工程を経て抄紙成形品を得る抄紙成形品の製造方法であって、乾燥成形工程において、圧縮空気供給・吸引機構を備え、かつ該圧縮空気供給・吸引機構と連動して動作する離型機構を備えたプレス型によって含水成形品を加熱プレスするとともに、プレス型間に間隙を設け、空気供給機構を動作させて成形品のプレス型への脱着を行いながら含水成形品を乾燥させることを特徴とする。
【０００８】
【発明の実施の形態】
以下、本発明を図面に基き説明する。
【０００９】
図１（ａ）〜（Ｃ）は、抄き型１上にパルプ原料液２からパルプ成分を抄き取り、プレス脱水して含水成形品３ａを得る抄紙成形工程の一例を示す。抄き型１の上面は得ようとする成形品形状を有しているとともに、抄き取ったパルプ原料液中のパルプ成分は通過させることなく水分を排出できるように多数の孔を設けた構造となっている。上記抄紙成形工程では、まず図１（ａ）に示すように抄き型１をパルプ原料液２を貯えた原料液槽４に浸漬し、抄き型１を上昇させて抄き型１上にパルプ成分を抄き取るが、この間、抄き型１を吸引することが均一にパルプ成分を抄き取る上で好ましい。次いで、図１（ｂ）に示すようにプレス型５と型合わせしてプレス脱水する。抄き型１をプレス型５と型合わせしてプレス脱水する過程においても、抄き型１を真空吸引すると脱水を効果的に行うことができる。抄き型１とプレス型５とによるプレス脱水が終了すると、図１（ｃ）に示すように抄き型１は下降して再びパルプ原料液２中に浸漬され、一方、含水成形品３ａはプレス型５に吸着されて図２に示す乾燥成形工程に移送される。
【００１０】
乾燥成形工程では図２（ａ）、（ｂ）に示すように上側のプレス型５と下側のプレス型６とによって含水成形品３ａを加熱プレスして脱水するが、この際、吸引しながら加熱プレスすることが好ましい。下側のプレス型６は上側のプレス型５と型合わせした際に形成される型間の間隙が、上側のプレス型５と前記抄き型１とを型合わせした際に形成される型間の間隙よりも狭くなるように構成されており、上側のプレス型５と下側のプレス型６とを型合わせすることにより、含水成形品３ａが両型間でプレスされるようになっている。プレス型５、６にはヒーター等の加熱手段が設けられており、含水成形品３ａを加熱しながらプレスできるようになっている。
【００１１】
本発明方法では乾燥成形工程において、含水成形品３ａをプレス型５及び６間で加熱プレスした後（図１（ｂ））、プレス型５を下降させてプレス型５、６間に間隙を設け、含水成形品３ａに圧縮空気を供給、吸引して含水成形品３ａをプレス型５、６に交互に着脱させることにより（図２（ｃ）〜（ｄ））、含水成形品３ａの乾燥を行う。
【００１２】
上側のプレス型５は、図３に示すように空気導入路７に連通した多数の空気流路８を有し、空気導入路７を介して圧縮空気の供給、吸引を行うことにより、成形品に圧縮空気を吹き付けたり、成形品をプレス型５に吸着させたりできる。プレス型５には、含水成形品３ａの開口部周縁に形成されたフランジ９と接する個所に離型フレーム１０が設けられている。離型フレーム１０は、圧縮空気供給・吸引機構と連動して動作するように構成されており、図３は含水成形品３ａを吸引しているときの状態を示し、プレス型５に含水成型品３ａを吸引密着させる吸引力が同時に離型フレーム１０に作用して、離型フレーム１０が戻っている事が好ましいが、プレス型５に吸引密着されている含水成形品３ａのフランジ９によってプレス型５方向に押し戻されていてもよい。含水成型品３ａに空気導入路７を介して圧縮空気をプレス型５に供給すると、圧縮空気が空気流路８から含水成形品３ａを離型する方向に供給されるが、この圧縮空気が同時に離型フレーム１０に作用して離型フレーム１０が押し出される（図４）。図２（ｃ）は、圧縮空気を供給して含水成形品３ａをプレス型５より離型した状態を示し、含水成形品３ａに供給した圧縮空気によって離型フレーム１０は図４に示すように含水成形品３ａを離型する方向に押し出す。次いで吸引すると、図２（ｄ）に示すように含水成形品３ａはプレス型５に再び吸着される。
【００１３】
含水成形品３ａをプレス型５、６間で加熱プレスするとともに、圧縮空気の供給、吸引を行い、含水成形品３ａをプレス型５、６へ着脱させることにより、効率良く乾燥させることができる。含水成形品３ａのプレス型５、６への着脱は、含水成形品３ａが上側のプレス型５から離型し、再び上側のプレス型５に吸着されるまでの動作（図２（ｃ）〜（ｄ）までの動作）を１回の周期とすると、通常この動作を１回〜２回繰り返して行うが、含水成形品３ａの乾燥を更に効率よく行うためには、３回〜１０回繰り返すことが好ましく、圧縮空気の供給、吸引の間隔は０．５秒〜３秒に設定することが好ましい。また含水成形品は、１回の乾燥成形工程によって乾燥させる場合に限らず、数回の乾燥成形工程を経て乾燥させるように構成することもできる。この場合、各乾燥成形工程における上下のプレス型を型合わせした時の間隙が、最初の乾燥成形工程における間隙よりも、２回目以降の乾燥成形工程において順次狭くなるように構成しても良い。
【００１４】
乾燥成形工程が終了すると成形品の離型を行う。離型工程では、例えば図５に示すように下側のプレス型６が下降してプレス型５とプレス型６との間に受け板１１が移動し、次いで上側のプレス型５から圧縮空気を供給すると、成形品３がプレス型５から離型して受け板１１に受けられ、成形品３が回収される。
【００１５】
プレス型５に設けられた離型フレーム１０と圧縮空気との作用で、含水成形品３ａ（または成形品３）は確実に離型される。含水成形品３ａ（または成形品３）は、図示したような底部から開口部にかけて漸次広がるようにテーパーを設けた形状の成形品に限らず、開口部付近がやや逆テーパーとなっているような形状のものであっても離型フレーム１０の作用によって確実に離型することができる。
【００１６】
上記した例では、離型機構として含水成形品開口部のフランジ９を押すように構成された離型フレーム１０を設けた場合を示したが、離型機構は含水成形品３ａ（または成形品３）と接して含水成形品３ａ（または成形品３）を押すことができれば、フランジ９以外の部位（例えば底部等）を押して離型させるように構成されたものであっても良い。また上側のプレス型５に離型フレーム１０等の離型機構を設ける場合に限らず、下側のプレス型６に離型機構を設けるように構成しても良いし、凸型側に保持させる場合に限らず凹型側に保持させるようにしても良い。尚、図示した例のように、上側のプレス型５により含水成形品を保持する場合には、吸引を止めることにより離型フレーム１０が自重で含水成形品３ａを押して離型させることもできるが、圧縮空気を供給して離型するように構成することが望ましい。
【００１７】
また図示した例では、抄紙成形工程で用いた上側のプレス型によって含水成形品を乾燥成形工程に移送し、このプレス型を乾燥成形工程における上側のプレス型としてそのまま利用する場合を示したが、抄紙成形工程におけるプレス型と乾燥成形工程におけるプレス型とは、別々の型を用いるように構成しても良い。更に数回の乾燥成形工程を行う場合には、本願出願人が特許文献５において提案したように、上側のプレス型を水平移動させる回転機構を設け、上側のプレス型によって抄紙成形工程で得た含水成形品を、数回の乾燥成形工程を順次移動させながら乾燥するように構成することが装置の占有スペースが小さくすむため好ましい。
【００１８】
【発明の効果】
以上説明したように本発明の抄紙成形装置は、パルプ原料液からパルプ成分を抄き取り脱水して含水成形品を得る抄紙成形工程、抄紙成形工程で得た含水成形品をプレス型間で加熱プレスして乾燥させる乾燥成形工程、乾燥成形工程で乾燥させた成形品を離型する離型工程を経て抄紙成形品を得る抄紙成形装置において、乾燥成形工程におけるプレス型に圧縮空気供給・吸引機構と連動して動作する離型機構を設けたことにより、プレス型からの成形品の離型を容易かつ確実に行うことができる。また本発明の成形装置には、従来の成形装置のシーケンスを変更することなく、そのまま適用することができるから、従来の装置に大幅な改造を施す等の必要がなく、簡単な改造を施すだけで低コストで提供される。
【００１９】
また上記の装置を用い、乾燥成形工程において含水成形品を加熱プレスするとともに、プレス型間に間隙を設け、圧縮空気供給・吸引機構を動作させて成形品のプレス型への着脱を行いながら含水成形品を乾燥させる本発明の抄紙成形品の製造方法は、含水成形品の乾燥効率が優れ成形品の製造サイクルを短くすることができるから、短い時間で効率良く抄紙成形品を得ることができる。
【図面の簡単な説明】
【図１】抄紙成形工程の各工程の断面略図である。
【図２】乾燥成形工程の各工程の断面略図である。
【図３】上側のプレス型の断面図である。
【図４】上側のプレス型の離型フレーム付近の拡大断面図である。
【図５】離型工程の断面略図である。
【符号の説明】
１    抄き型
２    パルプ原料液
３ａ  含水成形品
３    成形品
５    上側のプレス型
６    下側のプレス型
７    空気導入路
８    空気流路
１０    離型フレーム
【図１】
2004162214.tif 000003
【図２】
2004162214.tif 000004
【図３】
2004162214.tif 000005
【図４】
2004162214.tif 000006
【図５】
2004162214.tif 000007